(57)【要約】  ｎビットのデジタル信号に対応してｉビット目に係る圧電素子を２ｉ−１個、全部で（２ｎ−１）個の圧電素子（５１、５２、５３）を積層して設けた音圧発生部（１０）を備えるスピーカ（１）を提供する。スピーカ（１）は、圧電素子（５１、５２、５３）の分割振動により低指向性となる。圧電素子（５１、５２、５３）の間に平板状電極（８０、８１、８２、８３）が設けられ、電圧が付与される。これにより、すべての圧電素子を同程度の電圧で駆動でき、電圧源の個体差の問題なく、高音質を得ることができる。
2016194683.tif 000002
【特許請求の範囲】
【請求項１】
入力されるデジタル信号をビット単位に分割する信号分割回路と、
前記信号分割回路の出力するｎ個の分割後デジタル信号に基づいて、前記ビット単位の電圧を出力するｎ個（ｎ≧２）のＤ／Ａ変換器と、
（２ｎ−１）個の圧電素子を積層して設けた、前記Ｄ／Ａ変換器から出力される電圧を受ける音圧発生部とを備え、
前記ｎ個のＤ／Ａ変換器の最大出力電圧は等しく、
前記音圧発生部は、前記デジタル信号の下位からｉビット目（ｉ＝１，．．．，ｎ）に係る前記分割後デジタル信号を処理する前記Ｄ／Ａ変換器から出力される電圧を受ける前記圧電素子を、２ｉ−１個含む、スピーカ。
【請求項２】
前記音圧発生部は、前記ｎ個のＤ／Ａ変換器に対応するｎ個のスルーホール電極を有し、前記スルーホール電極のｉ番目（ｉ＝１，．．．，ｎ）は、前記デジタル信号の下位からｉビット目（ｉ＝１，．．．，ｎ）に係る前記分割後デジタル信号を処理する前記Ｄ／Ａ変換器から出力される電圧を、２ｉ−１個の圧電素子に印加する、請求項１に記載のスピーカ。
【請求項３】
前記音圧発生部の２ｉ−１個の圧電素子の間に設けられる平板状電極を備え、
前記平板状電極は、前記スルーホール電極からの電圧が印加されるものと印加されないものとが交互に配されている、請求項２に記載のスピーカ。
【請求項４】
２つ以上の前記音圧発生部を、可撓性樹脂を介して接合した、請求項１に記載のスピーカ。
【請求項５】
前記可撓性樹脂を湾曲させて、円筒形状にした、請求項４に記載のスピーカ。
【発明の詳細な説明】
【技術分野】
【０００１】
本発明は、デジタル信号に基づいて音響を発生するスピーカに関する。
【背景技術】
【０００２】
デジタル信号に基づいて音響を発生するスピーカが知られている（例えば特許文献１を参照）。この様なスピーカでは、オーディオアンプ等からスピーカへのアナログ系による音質劣化がなく、高音質を実現することができる。また、携帯電話等の小型機器では、音響を出力する端子として、アナログ端子（いわゆるピンジャック）よりも小型であるデジタル端子を採用する方が、機器のデザイン上好ましいため、デジタル端子から出力されたデジタル信号に基づいて音響を発生するデジタルスピーカの重要性が増している。【０００３】
デジタルスピーカは、入力されたデジタル信号のビット毎に別々の音響発生装置を配列する必要がある。しかしながら、各音響発生装置として、従来は、永久磁石とボイスコイルを用いたスピーカユニットが多く用いられているため、複数のコイル間の相互誘導の問題が生じていた。また、複数用いられるコイルの固体差に起因する音質低下の問題もあった。そして、ビット数と同数のスピーカユニットが必要になるため、小型化が困難であった。【０００４】
また、従来のスピーカユニットは、ボイスコイルがコーンの中心に設けられ、コーンのピストン振動によって音圧を発生させるため、指向性が比較的高い。よって、従来のスピーカユニットは、指向性を低くして広い角度で音響を届けるには、必ずしも適していなかった。【０００５】
なお、特許文献２には、１つの圧電素子に、ビット数と同数の電極が配設されたデジタルスピーカが開示されている。各電極は、対応するビットに応じて異なる電圧が印加されるか、対応するビットに応じた面積となっている。しかしながら、特許文献２には、各電極に電圧を付与する回路が開示されておらず、そのままでは実施できない（特に圧電素子の中央部にいかにして電圧を付与するかが不明である）。また、ビット毎の電圧が圧電素子の中央部と周辺とに別々に付与されるため、圧電素子におけるビット毎の周波数特性が均一でない。
【先行技術文献】
【特許文献】
【０００６】
【特許文献１】特開２０００−１７４８５４号公報
【特許文献２】特開平０９−２６６５９９号公報
【発明の概要】
【発明が解決しようとする課題】
【０００７】
本発明は、高音質・低指向性であり、小型化の可能なスピーカを提供することを課題とする。
【課題を解決するための手段】
【０００８】
本発明のスピーカは、
入力されるデジタル信号をビット単位に分割する信号分割回路と、
前記信号分割回路の出力するｎ個の分割後デジタル信号に基づいて、前記ビット単位の電圧を出力するｎ個（ｎ≧２）のＤ／Ａ変換器と、
（２ｎ−１）個の圧電素子を積層して設けた、前記Ｄ／Ａ変換器から出力される電圧を受ける音圧発生部とを備え、
前記ｎ個のＤ／Ａ変換器の最大出力電圧は等しく、
前記音圧発生部は、前記デジタル信号の下位からｉビット目（ｉ＝１，．．．，ｎ）に係る前記分割後デジタル信号を処理する前記Ｄ／Ａ変換器から出力される電圧を受ける前記圧電素子を、２ｉ−１個含む。【０００９】
この構成によれば、音圧発生部の振動によって音響が発生する。このとき、振動箇所は各々の圧電素子の全体に分散しているので、低指向性を実現できる。また、音圧発生部の圧電素子のサイズ及び形状は任意に設計することができるので、小型化が可能となる。
また、圧電素子によって振動を発生させるので、コイルの相互誘導の問題がない。さらに、Ｄ／Ａ変換器の最大出力電圧が等しいので、１つの電圧源を用いることができ、Ｄ／Ａ変換器の個体差の問題もなくすことが可能である。このため、高音質を得ることが可能となる。
そして、圧電素子は屈曲振動をせずに分割振動するので、高い指向性になり難い。【００１０】
本発明のスピーカにおいて、
前記音圧発生部は、前記ｎ個のＤ／Ａ変換器に対応するｎ個のスルーホール電極を有し、前記スルーホール電極のｉ番目（ｉ＝１，．．．，ｎ）は、前記デジタル信号の下位からｉビット目（ｉ＝１，．．．，ｎ）に係る前記分割後デジタル信号を処理する前記Ｄ／Ａ変換器から出力される電圧を、２ｉ−１個の圧電素子に印加する。【００１１】
この構成によれば、スルーホール電極を介して、積層された圧電素子の中の特定の圧電素子に電圧を印加することができる。【００１２】
本発明のスピーカは、
前記音圧発生部の２ｉ−１個の圧電素子の間に設けられる平板状電極を備え、
前記平板状電極は、前記スルーホール電極からの電圧が印加されるものと印加されないものとが交互に配されている。【００１３】
この構成によれば、スルーホール電極からの電圧を、平板状電極を介して、該平板上電極に接する２つの圧電素子に印加することができる。【００１４】
本発明のスピーカは、
２つ以上の前記音圧発生部を、可撓性樹脂を介して接合した。【００１５】
この構成によれば、音圧の大きなスピーカを提供することができる。【００１６】
本発明のスピーカは、
前記可撓性樹脂を湾曲させて、円筒形状にした。【００１７】
この構成によれば、指向性の極めて低いスピーカを提供することができる。
【発明の効果】
【００１８】
本発明によれば、高品質・低指向性であり、小型化の可能なスピーカを提供することが可能となる。
【図面の簡単な説明】
【００１９】
【図１】図１は、スピーカの構成を示す図である。
【図２Ａ】図２Ａは、電極の構造を示す斜視図である。
【図２Ｂ】図２Ｂは、各電極の平面図である。
【図２Ｃ】図２Ｃは、図２ＡにおけるＳ−Ｓ線の断面図である。
【図３】図３は、高音圧発生部の構成を示す図である。
【図４Ａ】図４Ａは、スピーカの撓みを示す図である。
【図４Ｂ】図４Ｂは、樹脂が湾曲される様子を示す図である。
【図４Ｃ】図４Ｃは、円筒形の音圧発生部を示す図である。
【図５】図５は、スピーカの例を示す図である。
【発明を実施するための形態】
【００２０】
以下、スピーカの実施例を２つ示す。
【実施例１】
【００２１】
図１は、スピーカの構成を示す図である。スピーカ１は、信号分割回路２、絶縁体４、圧電素子５１、５２、５３、電圧源６、スイッチ７１、７２、７３及び平板状電極８０、８１、８２、８３を含んで構成される。【００２２】
信号分割回路２は、入力されたデジタル信号を、ビット単位に分割して、分割後デジタル信号３１、３２及び３３を生成する。分割後デジタル信号３１は、最下位ビットを示す信号であり、分割後デジタル信号３２は、中位ビットを示す信号であり、分割後デジタル信号３３は、最上位ビットを示す信号である。本実施例では、デジタル信号は、３ビットの信号とするが、4ビット以上でもよい。【００２３】
圧電素子５１、５２、５３は、電圧を力に変換する。圧電素子５１は最下位ビットの分割後デジタル信号３１に、圧電素子５２は中位ビットの分割後デジタル信号３２に、圧電素子５３は最上位ビットの分割後デジタル信号３３に対応する。圧電素子５１、５２、５３は、一例として、チタン酸ジルコン酸鉛（ＰＺＴ）等のセラミックスから構成される。なお、圧電素子５１、５２、５３は、MEMS（Micro Electro Mechanical Systems）による薄膜圧電素子であってもよい。【００２４】
圧電素子５１、５２、５３は、積層されている。絶縁体４は、積層された際に両端に位置する圧電素子の外側にある。絶縁体４と圧電素子の間、及び２つの圧電素子の間（圧電素子同士の間）には、平板状電極８０、８１、８２、８３が挟置されている。【００２５】
圧電素子５１、５２、５３は、ｎ個（ｎ≧２；ｎは自然数）のビット単位の分割後デジタル信号に対応すべく、計（２ｎ−１）個となる。本実施例では、分割後デジタル信号は３ビットなので、圧電素子５１、５２、５３は、計（２３−１）個＝計７個となる。また、各々のビットの表す値の大小に対応し、圧電素子５１、５２、５３の枚数は、それぞれ１枚、２枚、４枚である。これは、分割後デジタル信号の下位からｉビット目（ｉ＝１，．．．，ｎ；ｎは自然数）に対応する圧電素子を、２ｉ−１個としていることによる。【００２６】
圧電素子５１、５２、５３、絶縁体４、及び平板状電極８０、８１、８２、８３が音圧発生部１０を構成する。各圧電素子５１、５２、５３の厚みは１５０μｍ程度（ＰＺＴの場合）であり、７つの圧電素子５１、５２、５３と２つの絶縁体４とを合わせた音圧発生部１０の厚みは、１．５ｍｍ程度である。また、図において圧電素子を正方形状に描いているが、他の形状、例えば円形、六角形等であってもよい。【００２７】
電圧源６は、圧電素子５１、５２、５３に電圧を付与するための電圧源である。本実施例では、１つの電圧源６から圧電素子５１、５２、５３の全てに電圧を付与する。その意義については後述する。【００２８】
スイッチ７１、７２、７３は、電圧源６から圧電素子５１、５２、５３への電圧供給のオン／オフを行う。スイッチ７１、７２、７３は、電気的に接続・切断の行われる電気スイッチとする。【００２９】
ビット単位毎の分割後デジタル信号３１、３２、３３は、時間の経過に伴って、０又は１の値を示す。してみれば、スイッチ７１、７２、７３を分割後デジタル信号３１、３２、３３の値が１の時にオン、０の時にオフとすれば、スイッチ７１、７２、７３（及び電圧源６）によってＤ／Ａ変換器が構成されることとなる。これにより、スイッチ７１は、デジタル信号の下位から１ビット目に係る分割後デジタル信号３１を処理するＤ／Ａ変換器として動作し、スイッチ７２は、デジタル信号の下位から２ビット目に係る分割後デジタル信号３２を処理するＤ／Ａ変換器として動作し、スイッチ７３は、デジタル信号の下位から３ビット目に係る分割後デジタル信号３３を処理するＤ／Ａ変換器として動作する。スイッチ７１、７２、７３は、分割後デジタル信号の数に基づいて設けられるので、ｎ個（ｎ≧２、ｎは自然数）の分割後デジタル信号が存在する場合、スイッチの数はｎ個となる。【００３０】
スピーカ１の動作について説明する。【００３１】
デジタル信号は、所定の周波数でサンプリングされ、所定のビット数を有する、音量を示す時系列数値データである。信号分割回路２は、デジタル信号をビット単位に分割して、分割後デジタル信号３１、３２及び３３を生成する。分割後デジタル信号３１、３２及び３３は、所定の周波数でサンプリングされ０又は１の値を示す時系列数値データとなる。【００３２】
スピーカ１は、分割後デジタル信号３１、３２、３３の値が１の時にスイッチ７１、７２、７３をそれぞれオンに、０の時にスイッチ７１、７２、７３をそれぞれオフにする。【００３３】
スイッチ７１、７２、７３がオンとなると、平板状電極８１、８２、８３に電圧源６の電圧が付与される。電圧を付与する構造については後述する。【００３４】
平板状電極８１、８２、８３の枚数が各々のビットの表す値の大小に対応しているので、音圧発生部１０は、デジタル信号の値に対応した音圧を発生するように振動する。デジタル信号の値に対応した音圧が発生することとなる。【００３５】
以上のとおり、デジタル信号の値がビット単位でＤ／Ａ変換され、全ビットの値の合計に対応する音圧が発生される。なお、Ｄ／Ａ変換については、ビット単位で別々のＤ／Ａ変換器を用いることとしてもよい。この場合には、Ｄ／Ａ変換器の個体差に基づく音質劣化のリスクが残る。本実施例の構成においては、１つの電圧源６を用いるため、Ｄ／Ａ変換器の最大出力電圧は等しく、Ｄ／Ａ変換器の個体差に基づく音質劣化が発生しない。すなわち、電圧源６の電圧が変動しても、圧電素子５１、５２、５３の全てについて電圧が均一に変動するため、音量は変動するものの、音質は劣化しない。【００３６】
音圧発生部１０は、固定されているか否かにかかわらず、自律的に振動するので、コーンを用いたスピーカのように周縁を固定することは必ずしも必要でない。例えば板の上に載置することで、音を発生する主振動が屈曲振動でなく分割振動となり、屈曲振動による発音機構よりも低指向性となる。【００３７】
平板状電極８０、８１、８２、８３、及び圧電素子５１、５２、５３に電圧を付与する構造について説明する。【００３８】
図２Ａ〜図２Ｃは、電極の構造を示す図である。図２Ａに示すように、音圧発生部１０にはスルーホール電極９０、９１、９２、９３が設けられている。スルーホール電極９０には、電圧源６の一方の極が接続されている。電圧源６の他方の極がスイッチ７１、７２、７３を介してスルーホール電極９１、９２、９３にそれぞれ接続されている。【００３９】
圧電素子の間に設けられる平板状電極は、平板状電極８０と平板状電極８１、８２、８３のいずれかとが交互に設けられている。圧電素子５１は平板状電極８０と平板状電極８１とに挟まれ、圧電素子５２は平板状電極８０と平板状電極８２とに挟まれ、圧電素子５３は平板状電極８０と平板状電極８３とに挟まれる。【００４０】
平板状電極８０、８１、８２、８３を図２Ｂに示す。図２Ｂは、平板状電極８０、８１、８２、８３を、図２Ａの上方から下方を向く方向に見たものであり（図２Ａに示すスルーホール電極９０〜９３が設けられた一方の絶縁体４から他方の絶縁体４を向く方向に見たものであり）、網掛けは導電部分、網掛けなしは絶縁部分である。スルーホール電極９０、９１、９２、９３のうちいずれか１つの貫通箇所に導電部分があり、他の箇所は絶縁部分なので、導電部分の位置に基づき、平板状電極８０はスルーホール電極９０と接続され、平板状電極８１はスルーホール電極９１と接続され、平板状電極８２はスルーホール電極９２と接続され、平板状電極８３はスルーホール電極９３と接続される。なお、図２Ｃに示すように、スルーホール電極は接続される平板状電極に到達できるだけ設ければよく、必ずしも最下端の圧電素子に到達しなくてもよいものがある。図２Ｃは、図２ＡにおけるＳ−Ｓ線の断面図である。【００４１】
以上の構造によれば、スイッチ７１がオンとなると圧電素子５１に電圧源６の電圧が印加され、スイッチ７２がオンとなると圧電素子５２に電圧源６の電圧が印加され、スイッチ７３がオンとなると圧電素子５３に電圧源６の電圧が印加される。【００４２】
なお、圧電素子５１、５２、５３の積層される順番は、本実施例の順番に限定されず任意に定めてよい。スルーホール電極と平板状電極とによって電圧を印加する本実施例の構成であれば、圧電素子５１、５２、５３の積層される順番として各種のものが可能である。例えば、上から順に、５１、５３、５３、５２、５２、５３、５３とするように、圧電素子５３を４枚連続させないことも可能である。【００４３】
以上詳細に説明したように、本実施例のスピーカ１は、信号分割回路２、絶縁体４、圧電素子５１、５２、５３、電圧源６、スイッチ７１、７２、７３及び平板状電極８０、８１、８２、８３を含んで構成される。音圧発生部１０の分割振動によって音圧が発生し、低指向性となる。また、１つの電圧源６を用い、スイッチ７１、７２、７３によってＤ／Ａ変換が行われるため、機器の個体差による音質劣化がない。また、ボイスコイルを用いないので、複数のコイル間の相互誘導の問題もない。よって、本実施例１のスピーカ１によれば、高音質・低指向性のスピーカが実現される。また、圧電素子５１、５２、５３のサイズ及び形状は任意に設計できるので、本実施例１のスピーカ１によれば、小型化が可能である。
【実施例２】
【００４４】
実施例１では本発明の基本になる振動体構造の実施例について説明をしたが、単体の振動体よりもさらに高音圧にするための方法を本実施例で説明する。本実施例は、実施例１に示したスピーカ１の音圧発生部１０を、２つ以上用いて、高音圧の分割振動を発生するものである。音圧発生部１０の構造は実施例１と同様であり、詳細な説明を省略する。【００４５】
図３は、高音圧発生部の構成を示す図である。４つの音圧発生部１０が、スルーホール電極の設けられた面を共通にして、樹脂１１に被覆されている。樹脂１１としては、柔軟性を持ちスピーカ１の振動を妨げないものを使用する。例えば樹脂１１を塗布して硬化させることで図３の状態が実現される。【００４６】
樹脂１１を硬化させた後、表面を研磨してスルーホール電極９１、９２、９３を露出させる。印刷、スパッタ等により、４つのスルーホール電極９１を結線する。スイッチ７１がオンの時の電圧は、この結線に入力される。スルーホール電極９２、９３についても同様である。なおスルーホール電極９０についても同様であるが、図面理解の容易性のため省略した。【００４７】
樹脂１１は柔軟なので、４つの音圧発生部１０と樹脂１１の全体とが柔軟にたわみ、分割振動を発生する。【００４８】
以上のように、４つの音圧発生部１０から構成された（図３に示した）高音圧発生部を、１つの音圧発生部として、図１のスピーカに使用する。【００４９】
これにより、本実施例２のスピーカは、高音圧を得ることができる。なお、４つの音圧発生部１０の例を示したが、任意の数の音圧発生部１０を使用することができる。以下、多数の音圧発生部１０を用いる例を説明する。【００５０】
図４Ａ〜図４Ｃは、スピーカの撓みを示す図である。図４Ａに示すように、１枚の樹脂１１に多数の音圧発生部１０を設ける。音圧発生部１０は２ｍｍ四方の正方形とする。縦方向に２２行、横方向に２１列、合計で４６２個の音圧発生部１０が使用されている。樹脂１１全体のサイズは、周縁を含め、４５ｍｍｘ４７ｍｍである。なお、スルーホール電極及び結線については図示していない。【００５１】
樹脂１１の柔軟性（可撓性）により、図４Ｂに示すように樹脂１１を湾曲することができる。音圧発生部１０がわずか２ｍｍの幅のため、樹脂１１全体の湾曲を妨げない。なお、音圧発生部１０のサイズは設計事項であるが、樹脂１１全体の湾曲を妨げないため、湾曲方向の長さ（径）が３ｍｍ以下であることが好ましい。【００５２】
図４Ｃに示すように、音圧発生部１０を円筒形とすることもできる。このとき、音圧発生部１０が３６０度全般に面する。音圧発生部１０は分割振動をするので元々低指向性であるが、音圧発生部１０が３６０度に面することで、更に指向性を低くすることができる。【００５３】
図５は、スピーカの例を示す図である。１枚の樹脂１１に、縦方向に２２行、横方向に７列、合計で１５４個の音圧発生部１０が使用されている。音圧発生部１０は２ｍｍ四方の正方形とする。樹脂１１全体のサイズは、周縁を含め、１５ｍｍｘ４７ｍｍである。【００５４】
樹脂１１が、フレーム１２に取り付けられている。フレーム１２は厚さ０．５ｍｍの金属体である。【００５５】
音圧発生部１０の圧電素子及び平板状電極をＭＥＭＳ(Micro Electro Mechanical Systems)によるものとし、３ビットの信号を処理するものとすると、ＭＥＭＳによる音圧発生部１０の１枚の厚さが１μｍ程度なので、７枚のＭＥＭＳによる音圧発生部１０は、７μｍ程度の厚さとすることができる。スピーカ全体の厚さは、フレーム１２の厚さである０．５ｍｍにほぼ等しい。【００５６】
なお、圧電素子にＰＺＴ(チタン酸ジルコン酸鉛)を用いると、ＰＺＴは１００〜１５０μｍ程度の厚さであるので、音圧発生部１０の厚さ（スピーカ全体の厚さ）を抑えることが困難である。【００５７】
上述のようにして、小型で薄く、高音圧を得ることのできるスピーカが構成される。かかるスピーカは、携帯電話等に貼付して使用することが容易である。【００５８】
以上詳細に説明したように、本実施例のスピーカは、小型で薄く、高音圧・低指向性を得ることのできるものである。【００５９】
この発明は、この発明の広義の精神と範囲を逸脱することなく、様々な実施の形態及び変形が可能とされるものである。また、上述した実施の形態は、この発明を説明するためのものであり、この発明の範囲を限定するものではない。すなわち、この発明の範囲は、実施の形態ではなく、特許請求の範囲によって示される。そして、特許請求の範囲内及びそれと同等の発明の意義の範囲内で施される様々な変形が、この発明の範囲内とみなされる。【００６０】
なお、本願については、２０１５年５月３０日に出願された日本国特許出願２０１５−１１０９８０号を基礎とする優先権を主張し、本明細書中に日本国特許出願２０１５−１１０９８０号の明細書、特許請求の範囲、図面全体を参照として取り込むものとする。
【産業上の利用可能性】
【００６１】
本発明は、小型で高音質のデジタルスピーカ、スピーカシステム、イヤホンに係り、多くの音響機器製造業者による利用が考えられる。
【符号の説明】
【００６２】
１    スピーカ
２    信号分割回路
３１  分割後デジタル信号
３２  分割後デジタル信号
３３  分割後デジタル信号
４    絶縁体
５１  圧電素子
５２  圧電素子
５３  圧電素子
６    電圧源
７１  スイッチ
７２  スイッチ
７３  スイッチ
８０  平板状電極
８１  平板状電極
８２  平板状電極
８３  平板状電極
９０  スルーホール電極
９１  スルーホール電極
９２  スルーホール電極
９３  スルーホール電極
１０  音圧発生部
１１  樹脂
１２  フレーム
【図１】
2016194683.tif 000003
【図２Ａ】
2016194683.tif 000004
【図２Ｂ】
2016194683.tif 000005
【図２Ｃ】
2016194683.tif 000006
【図３】
2016194683.tif 000007
【図４Ａ】
2016194683.tif 000008
【図４Ｂ】
2016194683.tif 000009
【図４Ｃ】
2016194683.tif 000010
【図５】
2016194683.tif 000011
【手続補正書】
【提出日】平成29年4月21日(2017.4.21)
【手続補正１】
【補正対象書類名】明細書
【補正対象項目名】０００８
【補正方法】変更
【補正の内容】
【０００８】
本発明のスピーカは、
入力されるデジタル信号をビット単位に分割する信号分割回路と、
前記信号分割回路の出力するｎ個の分割後デジタル信号に基づいて、前記ビット単位の電圧を出力するｎ個（ｎ≧２）のＤ／Ａ変換器と、
（２ｎ−１）個の圧電素子を積層して設けた、前記Ｄ／Ａ変換器から出力される電圧を受ける音圧発生部とを備え、
前記ｎ個のＤ／Ａ変換器の最大出力電圧は等しく、
前記音圧発生部は、前記デジタル信号の下位からｉビット目（ｉ＝１，．．．，ｎ）に係る前記分割後デジタル信号を処理する前記Ｄ／Ａ変換器から出力される電圧を受ける前記圧電素子を、２ｉ−１個含み、
前記音圧発生部は、前記ｎ個のＤ／Ａ変換器に対応するｎ個のスルーホール電極を有し、前記スルーホール電極のｉ番目（ｉ＝１，．．．，ｎ）は、前記デジタル信号の下位からｉビット目（ｉ＝１，．．．，ｎ）に係る前記分割後デジタル信号を処理する前記Ｄ／Ａ変換器から出力される電圧を、２ｉ−１個の圧電素子に印加する。
【手続補正２】
【補正対象書類名】明細書
【補正対象項目名】００１０
【補正方法】削除
【補正の内容】
【手続補正３】
【補正対象書類名】明細書
【補正対象項目名】００１１
【補正方法】変更
【補正の内容】
【００１１】
また、この構成によれば、スルーホール電極を介して、積層された圧電素子の中の特定の圧電素子に電圧を印加することができる。
【手続補正４】
【補正対象書類名】特許請求の範囲
【補正対象項目名】全文
【補正方法】変更
【補正の内容】
【特許請求の範囲】
【請求項１】
入力されるデジタル信号をビット単位に分割する信号分割回路と、
前記信号分割回路の出力するｎ個の分割後デジタル信号に基づいて、前記ビット単位の電圧を出力するｎ個（ｎ≧２）のＤ／Ａ変換器と、
（２ｎ−１）個の圧電素子を積層して設けた、前記Ｄ／Ａ変換器から出力される電圧を受ける音圧発生部とを備え、
前記ｎ個のＤ／Ａ変換器の最大出力電圧は等しく、
前記音圧発生部は、前記デジタル信号の下位からｉビット目（ｉ＝１，．．．，ｎ）に係る前記分割後デジタル信号を処理する前記Ｄ／Ａ変換器から出力される電圧を受ける前記圧電素子を、２ｉ−１個含み、
前記音圧発生部は、前記ｎ個のＤ／Ａ変換器に対応するｎ個のスルーホール電極を有し、前記スルーホール電極のｉ番目（ｉ＝１，．．．，ｎ）は、前記デジタル信号の下位からｉビット目（ｉ＝１，．．．，ｎ）に係る前記分割後デジタル信号を処理する前記Ｄ／Ａ変換器から出力される電圧を、２ｉ−１個の圧電素子に印加する、スピーカ。
【請求項２】
前記音圧発生部の２ｉ−１個の圧電素子の間に設けられる平板状電極を備え、
前記平板状電極は、前記スルーホール電極からの電圧が印加されるものと印加されないものとが交互に配されている、請求項１に記載のスピーカ。
【請求項３】
２つ以上の前記音圧発生部を、可撓性樹脂を介して接合した、請求項１に記載のスピーカ。
【請求項４】
前記可撓性樹脂を湾曲させて、円筒形状にした、請求項３に記載のスピーカ。
【国際調査報告】
2016194683.tif 000012
2016194683.tif 000013
2016194683.tif 000014